(57)【要約】【課題】  歯科修復物と複数のアタッチメント部材の組み合わせを提供する。【解決手段】  歯科修復物は複数の支持部材を含み、各支持部材が、アタッチメント部材に解放可能に取り付けられるように構成されている。各アタッチメント部材は、歯科修復物の対応する支持部材を支持するためのアタッチメント部材の冠状方向に面する第一支持表面、及びアタッチメント部材の先端方向に面しかつ支持部材の縦軸に向きかつ歯科フィクスチャーの支持表面と係合するために構成されている第二支持表面を含む。さらに、各アタッチメント部材は、その冠状部に支持部材の一つを解放可能に取り付けるための固定部材を受けるための取り付け部を含む。第一支持表面は、その先端からその冠状端に向けて測定するとアタッチメント部材の縦軸に対して第二支持表面の対応する角度より大きい角度を持つ。【選択図】  図１
2013520253.tif 000002
【特許請求の範囲】
【請求項１】
歯科修復物と複数のアタッチメント部材の組み合わせにおいて、
−  歯科修復物が複数の支持部材を含み、各支持部材が、アタッチメント部材に解放可能に取り付けられるように構成されていること、
−  各アタッチメント部材が、歯科修復物の対応する支持部材を支持するためのアタッチメント部材の冠状方向に面する第一支持表面、アタッチメント部材の先端方向に面しかつ支持部材の縦軸に向きかつ歯科フィクスチャーの支持表面と係合するために構成されている第二支持表面、及び支持部材の一つを解放可能に取り付けるための固定部材を受けるためのその冠状部の取り付け部を含み、さらに第一支持表面が、その先端からその冠状端に向けて測定するとアタッチメント部材の縦軸に対して第二支持表面の対応する角度より大きい角度を持つこと
を特徴とする組み合わせ。
【請求項２】
第一支持表面がアタッチメント部材の縦軸に対して実質的に垂直であり、かつ第二支持表面がアタッチメント部材の縦軸に対して非垂直であることを特徴とする請求項１に記載の組み合わせ。
【請求項３】
アタッチメント部材の縦軸の方向に測定した、第一支持表面と第二支持表面の冠状端との間の軸方向距離が、０．０５〜０．３５ｍｍの範囲、好ましくは０．１５〜０．２５ｍｍの範囲にあることを特徴とする請求項１に記載の組み合わせ。
【請求項４】
アタッチメント部材の縦軸の方向に測定した、第一支持表面と第二支持表面の先端との間の軸方向距離が、０．６５〜０．９５ｍｍの範囲、好ましくは０．７５〜１．３０ｍｍの範囲にあることを特徴とする請求項１または２に記載の組み合わせ。
【請求項５】
アタッチメント部材がその先端に実質的に回転対称的な部分を含み、それは、歯科フィクスチャーの内部空洞内に受け入れられるように構成されていることを特徴とする請求項１〜４のいずれかに記載の組み合わせ。
【請求項６】
実質的に回転対称的な部分の先端が、第二支持表面の先端の直径より小さい直径を持ち、かつ実質的に回転対称的な部分の冠状端が、第二支持表面の先端より遠くにアタッチメント部材の冠状端の方へ位置されていることを特徴とする請求項４に記載の組み合わせ。
【請求項７】
歯科補綴物の各支持部材が、幅を持つ環状端表面を含み、さらに各環状端表面が、アタッチメント部材の一つの第一支持表面により支持されるようにかつ第一支持表面と平行であるように構成されていることを特徴とする請求項１〜６のいずれかに記載の組み合わせ。
【請求項８】
アタッチメント部材がその先端にねじ付き端部を含み、かつアタッチメント部材の取り付け部が、六角形のような回転対称的でないツール係合部と、任意選択的に周囲溝を含む回転対称的な部分とを含む外部表面を含むことを特徴とする請求項１〜７のいずれかに記載の組み合わせ。
【請求項９】
各アタッチメント部材が、アタッチメント部材の縦軸と実質的に平行に延びかつ第一支持表面の最外端と第二支持表面の先端との間に延びる長さを持つ面を含み、さらにこの面のアタッチメント部材の縦軸の方向に測定した長さが０．６５〜０．９５ｍｍの範囲、好ましくは０．７５〜１．３０ｍｍの範囲にあることを特徴とする請求項１〜８のいずれかに記載の組み合わせ。
【発明の詳細な説明】
【技術分野】
【０００１】
本発明は、一般的に歯科補綴物の分野に関係する。より詳細には、本発明は、歯科修復物、及び歯科修復物を歯科フィクスチャーに取り付けるためのアタッチメント部材に関する。
【背景技術】
【０００２】
歯科ブリッジのような、多数の歯を修復するための歯科修復物は、複数の歯科フィクスチャー（歯科インプラントとも呼ばれる）により支持され、かつねじで保持されることができる。かかる歯科修復物は、歯科フィクスチャーの冠状端表面上に直接着座されることができる。その目的のために、修復物は、歯科フィクスチャーの冠状端表面の上に載る環状端表面を持つ支持部材を含む。修復物の支持部材はまた、修復物を歯科フィクスチャーに取り外し可能に取り付けるためにねじを受けるための貫通穴を含む。修復物を作成するために、まず歯科フィクスチャーの取り付け後に患者の口腔内の歯科フィクスチャーの空間的位置を記録するために印象が作られることが通常である。印象は、インプラントレプリカを含む歯科模型を鋳造するために使用され、歯科模型は次に補綴物を計画するために使用される。修復物は、従来技術で一般的に知られている通常のワックスアップ技術またはＣＡＤ／ＣＡＭ技術を使用して計画されることができる。通常の技術を使用して、ワックスアップは、修復物を鋳造するためのベースを与える。鋳造時に、取り付けられたフィクスチャーと整合される支持部材は、予備製造された鋳造アバットメントとして与えられることができ、その周りにワックスが層ごとに作り上げられ、補綴物の形状を形成する。この構造は石膏で包囲されることができ、ワックスが燃え切ったら鋳型を形成し、それが補綴物を鋳造するために使用される。鋳造アバットメント及び鋳造材料は単一の一体片を形成するであろう。全てのこれらの手動工程は不正確さを導入し、そこでは補綴物（すなわちその支持部材）は患者の歯科フィクスチャーの位置に完全に適合しないかもしれない。補綴物のＣＡＤ／ＣＡＭ製造は、走査工程、フライス削り工程、焼結工程等により導入された正確性に関して同様な問題を持つ。ＣＡＤ／ＣＡＭ解決策のために、鋳造アバットメントと構造的に対応する支持部材は、通常、修復物の一体部分として、例えばフライス削りによって提供される。
【０００３】
不正確さは、支持部材及びその支持表面と歯科フィクスチャーの支持表面の整合性が意図したように整合しないかもしれないという結果を持つかもしれない。もしそれらが整合しないなら、補綴物を歯科フィクスチャーに取り付けることができないかもしれず、またはねじが歯科インプラントにひずみを起こし、それは最悪の場合、破損されるかもしれない。
【０００４】
これらの問題は、歯科フィクスチャーの縦軸に対して垂直でない角度を持つ修復物の支持部材を支持するための上部表面を持つインプラントに対して特に顕著である。かかるインプラントに対して、修復物の支持部材と歯科インプラントの支持表面との間のｘｙ−面内の不適合は、ｚ−軸に沿った不適合を起こすであろう。前記とは異なって、支持表面がインプラントの縦軸に対して先細りとなり、かつ支持部材の支持表面が対応する角度を持つかかるインプラントに対しては、支持部材は、もしｘｙ−面内に不適合があるなら、歯科フィクスチャーの支持表面に渡って完全に着座されることができない。従って、補綴物は適切に嵌合しないであろう。インプラントの縦軸と垂直である支持表面を持つインプラントに対しては、ｘ−軸に沿った不正確さは、ｙ−軸に沿った偏りを全く起こさないであろう。ＥＰ１９２５２６８は、上で述べたように、補綴物を鋳造するために使用される鋳造アバットメントを開示する。それは鋳造アバットメントであるので、それは鋳造補綴物と一体化され、上で述べた問題と関連付けられるであろう。ここに開示された鋳造アバットメントは、対応する歯科フィクスチャーの回転防止機能と係合するための回転防止機能を含む先端部を持つ。これは、正確性に対してさらに厳しい要求を課す。なぜなら幾つかの支持部材のための回転防止機能は、対応する歯科フィクスチャーと回転的に整合されなければならないからである。
【０００５】
従って、改善されたアタッチメント部材は有利であるだろうし、特に精度の寛大な要求、増大した柔軟性、費用効果、及び／または患者の安全性を可能にすることは有利であるだろう。
【発明の概要】
【発明が解決しようとする課題】
【０００６】
従って、本発明の実施態様は、好ましくは、上で特定したような従来技術の一つ以上の欠陥、不利または問題を、添付特許請求項による歯科修復物及び複数のアタッチメント部材の組み合わせを提供することにより、単独でまたはいずれかの組み合わせで軽減し、緩和し、または排除することを探求する。
【課題を解決するための手段】
【０００７】
本発明の第一態様によれば、組み合わせは歯科修復物と複数のアタッチメント部材を含む。歯科修復物は複数の支持部材を含み、各支持部材は、アタッチメント部材に解放可能に取り付けられるように構成されている。各アタッチメント部材は、歯科修復物の対応する支持部材を支持するためのアタッチメント部材の冠状（ｃｏｒｏｎａｌ）方向に面する第一支持表面、アタッチメント部材の先端（ａｐｉｃａｌ）方向に面しかつ支持部材の縦軸に向きかつ歯科フィクスチャーの支持表面と係合するために構成されている第二支持表面、及び支持部材の一つを解放可能に取り付けるための固定部材を受けるためのその冠状部の取り付け部を含む。第一支持表面は、その先端からその冠状端に向けて測定するとアタッチメント部材の縦軸に対して第二支持表面の対応する角度より大きい角度を持つ。
【０００８】
第一支持表面はアタッチメント部材の縦軸に対して実質的に垂直であることができる。第二支持表面はアタッチメント部材の縦軸に対して非垂直であることができる。
【０００９】
アタッチメント部材の縦軸の方向に測定した、第一支持表面と第二支持表面の冠状端との間の軸方向距離は０．０５〜０．３５ｍｍの範囲、好ましくは０．１５〜０．２５ｍｍの範囲であることができる。
【００１０】
アタッチメント部材の縦軸に方向に測定した、第一支持表面と第二支持表面の先端との間の軸方向距離は０．６５〜０．９５ｍｍの範囲、好ましくは０．７５〜１．３０ｍｍの範囲であることができる。
【００１１】
アタッチメント部材はその先端に実質的に回転対称的な部分を含むことができ、それは、歯科フィクスチャーの内部空洞内に受け入れられるように構成されることができる。
【００１２】
実質的に回転対称的な部分の先端は、第二支持表面の先端の直径より小さい直径を持つことができる。実質的に回転対称的な部分の冠状端は、第二支持表面の先端より遠くにアタッチメント部材の冠状端の方へ位置されることができる。
【００１３】
歯科補綴物の各支持部材は、幅を持つ環状端表面を含む。各環状端表面は、アタッチメント部材の一つの第一支持表面により支持されるようにかつ第一支持表面と平行であるように構成されることができる。
【００１４】
アタッチメント部材はその先端にねじ付き端部を含むことができる。アタッチメント部材の取り付け部は、六角形のような回転対称的でないツール係合部と、任意選択的に、ある実施態様では周囲溝を含む回転対称的な部分とを含む外部表面を含むことができる。
【００１５】
各アタッチメント部材は、アタッチメント部材の縦軸と実質的に平行に延びかつ第一支持表面の最外端と第二支持表面の先端との間に延びる長さを持つ面を含むことができる。アタッチメント部材の縦軸の方向に測定されたこの面の長さは、０．６５〜０．９５ｍｍの範囲、好ましくは０．７５〜１．３０ｍｍの範囲にある。
【００１６】
本発明のさらなる実施態様は、従属請求項中に規定される。
【００１７】
本発明の幾つかの実施態様は、増大したフレキシビリティ、精度の寛大な要求、軟組織レベルのインプラントへの補綴物の美的な連結等を提供する。
【００１８】
用語「含む／含んでいる」は、この明細書中で使用されるとき、述べた特徴、整数、工程または要素の存在を特定するものとして取られるが、一つ以上の他の特徴、整数、工程、要素またはそれらの群の存在または追加を排除しないことは強調されるべきである。
【００１９】
本発明の実施態様が可能であるこれらのかつ他の態様、特徴及び利点は、本発明の実施態様の以下の説明や添付図面に対してなされている言及から明らかでありかつ明確にされるであろう。
【図面の簡単な説明】
【００２０】
【図１】図１は、アタッチメント部材及び歯科修復物の一実施態様の断面図である。
【００２１】
【図２】図２は、アタッチメント部材の一実施態様の側面図である。
【発明を実施するための形態】
【００２２】
本発明の特別な実施態様が今や添付図面に関して説明されるであろう。しかし、本発明は、多くの異なる形で実現されることができ、ここに記載された実施態様に限定されるものとして解釈されるべきではない。むしろ、これらの実施態様は、この開示が完壁または完全なものであるように、かつ本発明の範囲を当業者に十分に伝達するように与えられる。添付図面に示された実施態様の詳細な説明で使用された用語は、本発明の限定であることを意図していない。図面では、同様な数字は同様な要素に関連する。
【００２３】
以下の説明は、歯科修復物に適用可能な本発明の実施態様に焦点を合わせている。歯科修復物は、例えば歯科用ブリッジ、陶材が付加されることができる歯科用ブリッジ枠、または義歯の取り付けのための棒を含むことができる。歯科修復物は、ＣＡＤ／ＣＡＭ技術及び解決策を使用して製造されることができる。かかる解決策は、Ｎｏｂｅｌ  Ｂｉｏｃａｒｅ（登録商標）を介して入手可能なＮｏｂｅｌＰｒｏｃｅｒａ（登録商標）コンセプトにより一般的に入手可能である。
【００２４】
本発明の実施態様は、歯科修復物１と複数のアタッチメント部材２の組み合わせを含む。以下においては、単一アタッチメント部材２が説明されるであろう。歯科修復物１はマルチユニット修復物であり、すなわち多数の歯を修復するために提供され、従って修復物がねじ（図示せず）のような固定部材により解放可能に取り付けられることができる複数の歯科フィクスチャー（図示せず）による支持のために設計されている。
【００２５】
アタッチメント部材２は、歯科修復物１を支持するための第一支持表面３を含む。第一支持表面３はアタッチメント部材２の略冠状部に向いている。アタッチメント部材はまた、歯科フィクスチャーの支持表面に当接するための第二支持表面４を含む。第二支持表面４は、アタッチメント部材２の略先端に向いている。第一支持表面３は、先端からアタッチメント部材２の冠状端に向けて測定するとアタッチメント部材２の縦軸５に対して第二支持表面の対応する角度より大きい角度を持つ。第一支持表面３は、アタッチメント部材２の縦軸５に対して略垂直であることができる。第二支持表面４はアタッチメント部材２の縦軸５に対して角度αを持つことができ、それは４０〜５０度の範囲、例えば４５度であることができる。従って、このアタッチメント部材の実施態様では、歯科フィクスチャーの角度の付いた支持表面（すなわち第二支持表面に相当する）は、より角度の付いた、さらにはアタッチメント部材２の縦軸５に対して実質的に垂直でさえある表面中に移される。従って、歯科修復物１の支持部材６及び歯科フィクスチャーの支持表面のｘｙ−面のどのような不正確さもｚ−軸に沿った不正確さをほとんど起こさないか、または実質的に起こさないであろう。これは、多数の歯を修復するための歯科修復物の柔軟な解決策を与える。この説明で言及されるｘ，ｙ及びｚ方向及び面は図１に示されている。
【００２６】
図１の実施態様では、アタッチメント部材２は、アタッチメント部材２の冠状方向に面する第一支持表面３を含む。上述のように、第一支持表面３は、歯科修復物１の対応する支持部材６を支持するように構成される。第二支持表面４は、アタッチメント部材２の先端方向に面する。この実施態様では、第二支持表面４はまた、アタッチメント部材２の縦軸５の方に面する。第二支持表面４は、歯科フィクスチャーの支持表面と係合するように構成される。アタッチメント部材２はその冠状部に取り付け部７を含む。この取り付け部７は、歯科修復物１の支持部材６をアタッチメント部材２に解放可能に取り付けるための固定部材を受けるように構成される。この実施態様では、第一支持表面３はアタッチメント部材２の縦軸５に対して実質的に垂直である。第二支持表面４はアタッチメント部材２の縦軸５に対して非垂直である。
【００２７】
図１に示されたような、ある実施態様では、アタッチメント部材２の縦軸５の方向に測定した、第一支持表面３と第二支持表面４の冠状端８との間の軸方向距離ａは０．０５〜０．３５ｍｍの範囲、好ましくは０．１５〜０．２５ｍｍの範囲にある。これは非常に緻密な構造を提供する。
【００２８】
ある実施態様では、アタッチメント部材２の縦軸５の方向に測定した、第一支持表面３と第二支持表面４の先端または先端縁９との間の軸方向距離ｂは０．６５〜１．３０ｍｍの範囲、好ましくは０．７５〜０．８５ｍｍの範囲にある。従って、この表面により形成された面１０は比較的短い。これは、軟組織レベルのインプラント（すなわち取り付け時に軟組織表面と実質的に同一平面にまたはそのわずかに下に位置する支持表面を持つインプラント）と一緒に使用されることができるアタッチメント部材を提供する。面１０は比較的短いので、修復物の美感は、たとえ面１０が軟組織レベルの上にわずかに延びたとしても実質的に影響を受けない。ある実施態様では、面の冠状部はその冠状端に向けて内向きに先細りとなっている。例えば、面の約半分、すなわちその先端部は実質的に円筒状であることができ、約半分、すなわちその冠状部は先細りとなることができる。これは、高い美感を持つ、より緻密な構造を可能にする。
【００２９】
図１及び２に示されたような、ある実施態様では、アタッチメント部材２は、その先端に実質的に回転対称的な部分１１を含む。この回転対称的な部分１１は、歯科フィクスチャーの内部空洞内に受け入れられるように構成されることができる。第二支持表面４の冠状端は、回転対称的な部分１１の冠状端と一致するかまたは冠状端で終わる。示された実施態様では、第二支持表面４は、回転対称的な部分１１に向けて収斂する丸くなった部分１２を持つその冠状端で終わる。従って、凹所または空間が第二支持表面４と実質的に回転対称的な部分１１の間に形成され、その内部に歯科フィクスチャーの一部が受け入れられることができる。これは、集成体の構造強度を高めることができる。
【００３０】
図１及び２の実施態様では、実質的に回転対称的な部分１１の冠状端１３は、第二支持表面４の先端９の直径より小さい直径を持つ。実質的に回転対称的な部分１１の冠状端１３は、第二支持表面４の先端９より遠くにアタッチメント部材２の冠状端の方へ位置されている。第二支持表面４の先端９の直径は、歯科フィクスチャーの直径に依存して３〜６ｍｍの範囲にあることができる。
【００３１】
ある実施態様では、歯科補綴物の支持部材６は、幅を持つ環状端表面１４を含む。この端表面は、組み立てられたときにアタッチメント部材２の縦軸５に実質的に垂直であることができる。環状端表面１４は、第一支持表面３により支持されるように構成されることができ、正しく取り付けられたときにそれと平行であることができる。
【００３２】
示された実施態様では、アタッチメント部材２は、その先端にねじ付き端部１５を含む。ねじ付き端部１５は、アタッチメント部材２と一体的に形成されることができ、すなわちそれは均一な構造として形成される。
【００３３】
ある実施態様では、アタッチメント部材２の取り付け部７は、六角形のような回転対称的でないツール係合部１６を含む外部表面を含む。さらに、取り付け部７は、ツール係合部１６と第一支持表面３との間のような、第一支持表面３とアタッチメント部材２の冠状端との間に設けられた実質的に回転対称的な部分１７を含むことができる。回転対称的な部分１７は、第一支持表面３の内周で終わるベースを持つ切頭円錐形として造形されるように先細りであることができる。回転対称的な部分は、任意選択的に周囲溝１８を含むことができ、それは、連続的であることができ、その先端１９に向けて設けられることができる。
【００３４】
面１０は、アタッチメント部材２の縦軸５と実質的に平行に延びることができ、第一支持表面３の最外端または最外縁２０と第二支持表面４の先端９との間に延びる長さを持つことができる。アタッチメント部材の縦軸の方向に測定した面１０の長さは０．６５〜０．９５ｍｍの範囲、好ましくは０．７５〜１．３０ｍｍの範囲にあることができる。
【００３５】
本発明は特定の実施態様に関して上述された。しかし、上述以外の実施態様が本発明の範囲内で等しく可能である。上述されたものと異なる方法工程が本発明の範囲内で提供されることができる。本発明の異なる特徴及び工程が、上述されたもの以外の組み合わせで組み合わされることができる。本発明の範囲は、添付された特許請求項によってのみ限定される。
【図１】
2013520253.tif 000003
【図２】
2013520253.tif 000004
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
歯科修復物と複数のアタッチメント部材の組み合わせにおいて、
−  歯科修復物が複数の支持部材を含み、各支持部材が、アタッチメント部材に解放可能に取り付けられるように構成されていること、
−  各アタッチメント部材が、歯科修復物の対応する支持部材を支持するためのアタッチメント部材の冠状方向に面する第一支持表面、アタッチメント部材の先端方向に面しかつ支持部材の縦軸に向きかつ歯科フィクスチャーの支持表面と係合するために構成されている第二支持表面、及び支持部材の一つを解放可能に取り付けるための固定部材を受けるためのその冠状部の取り付け部を含み、さらに第一支持表面が、その先端からその冠状端に向けて測定するとアタッチメント部材の縦軸に対して第二支持表面の対応する角度より大きい角度を持つこと
を特徴とする組み合わせ。
【請求項２】
第一支持表面がアタッチメント部材の縦軸に対して実質的に垂直であり、かつ第二支持表面がアタッチメント部材の縦軸に対して非垂直であることを特徴とする請求項１に記載の組み合わせ。
【請求項３】
アタッチメント部材の縦軸の方向に測定した、第一支持表面と第二支持表面の冠状端との間の軸方向距離が、０．０５〜０．３５ｍｍの範囲にあることを特徴とする請求項１に記載の組み合わせ。
【請求項４】
アタッチメント部材の縦軸の方向に測定した、第一支持表面と第二支持表面の冠状端との間の軸方向距離が、０．１５〜０．２５ｍｍの範囲にあることを特徴とする請求項１に記載の組み合わせ。
【請求項５】
アタッチメント部材の縦軸の方向に測定した、第一支持表面と第二支持表面の先端との間の軸方向距離が、０．６５〜１．３０ｍｍの範囲にあることを特徴とする請求項１または２に記載の組み合わせ。
【請求項６】
アタッチメント部材の縦軸の方向に測定した、第一支持表面と第二支持表面の先端との間の軸方向距離が、０．７５〜０．８５ｍｍの範囲にあることを特徴とする請求項１または２に記載の組み合わせ。
【請求項７】
アタッチメント部材がその先端に実質的に回転対称的な部分を含み、それは、歯科フィクスチャーの内部空洞内に受け入れられるように構成されていることを特徴とする請求項１〜６のいずれかに記載の組み合わせ。
【請求項８】
実質的に回転対称的な部分の先端が、第二支持表面の先端の直径より小さい直径を持ち、かつ実質的に回転対称的な部分の冠状端が、第二支持表面の先端より遠くにアタッチメント部材の冠状端の方へ位置されていることを特徴とする請求項５または６に記載の組み合わせ。
【請求項９】
歯科補綴物の各支持部材が、幅を持つ環状端表面を含み、さらに各環状端表面が、アタッチメント部材の一つの第一支持表面により支持されるようにかつ第一支持表面と平行であるように構成されていることを特徴とする請求項１〜８のいずれかに記載の組み合わせ。
【請求項１０】
アタッチメント部材がその先端にねじ付き端部を含み、かつアタッチメント部材の取り付け部が、六角形のような回転対称的でないツール係合部と、任意選択的に周囲溝を含む回転対称的な部分とを含む外部表面を含むことを特徴とする請求項１〜９のいずれかに記載の組み合わせ。
【請求項１１】
各アタッチメント部材が、アタッチメント部材の縦軸と実質的に平行に延びかつ第一支持表面の最外端と第二支持表面の先端との間に延びる長さを持つ面を含み、さらにこの面のアタッチメント部材の縦軸の方向に測定した長さが０．６５〜０．９５ｍｍの範囲にあることを特徴とする請求項１〜１０のいずれかに記載の組み合わせ。
【請求項１２】
各アタッチメント部材が、アタッチメント部材の縦軸と実質的に平行に延びかつ第一支持表面の最外端と第二支持表面の先端との間に延びる長さを持つ面を含み、さらにこの面のアタッチメント部材の縦軸の方向に測定した長さが０．７５〜１．３０ｍｍの範囲にあることを特徴とする請求項１〜１０のいずれかに記載の組み合わせ。
【手続補正２】
【補正対象書類名】明細書
【補正対象項目名】００１０
【補正方法】変更
【補正の内容】
【００１０】
アタッチメント部材の縦軸に方向に測定した、第一支持表面と第二支持表面の先端との間の軸方向距離は０．６５〜１．３０ｍｍの範囲、好ましくは０．７５〜０．８５ｍｍの範囲であることができる。
【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
歯科修復物と複数のアタッチメント部材の組み合わせにおいて、
−  歯科修復物が複数の支持部材を含み、各支持部材が、アタッチメント部材に解放可能に取り付けられるように構成されていること、
−  各アタッチメント部材が、歯科修復物の対応する支持部材を支持するためのアタッチメント部材の冠状方向に面する第一支持表面、アタッチメント部材の先端方向に面しかつ支持部材の縦軸に向きかつ歯科フィクスチャーの支持表面と係合するために構成されている第二支持表面、及び支持部材の一つを解放可能に取り付けるための固定部材を受けるためのその冠状部の取り付け部を含み、さらに第一支持表面が、その先端からその冠状端に向けて測定するとアタッチメント部材の縦軸に対して第二支持表面の対応する角度より大きい角度を持つこと
を特徴とする組み合わせ。
【請求項２】
第一支持表面がアタッチメント部材の縦軸に対して実質的に垂直であり、かつ第二支持表面がアタッチメント部材の縦軸に対して非垂直であることを特徴とする請求項１に記載の組み合わせ。
【請求項３】
アタッチメント部材の縦軸の方向に測定した、第一支持表面と第二支持表面の冠状端との間の軸方向距離が、０．０５〜０．３５ｍｍの範囲にあることを特徴とする請求項１に記載の組み合わせ。
【請求項４】
アタッチメント部材の縦軸の方向に測定した、第一支持表面と第二支持表面の冠状端との間の軸方向距離が、０．１５〜０．２５ｍｍの範囲にあることを特徴とする請求項１に記載の組み合わせ。
【請求項５】
アタッチメント部材の縦軸の方向に測定した、第一支持表面と第二支持表面の先端との間の軸方向距離が、０．６５〜１．３０ｍｍの範囲にあることを特徴とする請求項１または２に記載の組み合わせ。
【請求項６】
アタッチメント部材の縦軸の方向に測定した、第一支持表面と第二支持表面の先端との間の軸方向距離が、０．７５〜０．８５ｍｍの範囲にあることを特徴とする請求項１または２に記載の組み合わせ。
【請求項７】
アタッチメント部材がその先端に実質的に回転対称的な部分を含み、それは、歯科フィクスチャーの内部空洞内に受け入れられるように構成されていることを特徴とする請求項１〜６のいずれかに記載の組み合わせ。
【請求項８】
実質的に回転対称的な部分の先端が、第二支持表面の先端の直径より小さい直径を持ち、かつ実質的に回転対称的な部分の冠状端が、第二支持表面の先端より遠くにアタッチメント部材の冠状端の方へ位置されていることを特徴とする請求項５または６に記載の組み合わせ。
【請求項９】
歯科補綴物の各支持部材が、幅を持つ環状端表面を含み、さらに各環状端表面が、アタッチメント部材の一つの第一支持表面により支持されるようにかつ第一支持表面と平行であるように構成されていることを特徴とする請求項１〜８のいずれかに記載の組み合わせ。
【請求項１０】
アタッチメント部材がその先端にねじ付き端部を含み、かつアタッチメント部材の取り付け部が、六角形のような回転対称的でないツール係合部と、任意選択的に周囲溝を含む回転対称的な部分とを含む外部表面を含むことを特徴とする請求項１〜９のいずれかに記載の組み合わせ。
【請求項１１】
各アタッチメント部材が、アタッチメント部材の縦軸と実質的に平行に延びかつ第一支持表面の最外端と第二支持表面の先端との間に延びる長さを持つ面を含み、さらにこの面のアタッチメント部材の縦軸の方向に測定した長さが０．６５〜０．９５ｍｍの範囲にあることを特徴とする請求項１〜１０のいずれかに記載の組み合わせ。
【請求項１２】
各アタッチメント部材が、アタッチメント部材の縦軸と実質的に平行に延びかつ第一支持表面の最外端と第二支持表面の先端との間に延びる長さを持つ面を含み、さらにこの面のアタッチメント部材の縦軸の方向に測定した長さが０．７５〜１．３０ｍｍの範囲にあることを特徴とする請求項１〜１０のいずれかに記載の組み合わせ。
【手続補正２】
【補正対象書類名】明細書
【補正対象項目名】００１０
【補正方法】変更
【補正の内容】
【００１０】
アタッチメント部材の縦軸に方向に測定した、第一支持表面と第二支持表面の先端との間の軸方向距離は０．６５〜１．３０ｍｍの範囲、好ましくは０．７５〜０．８５ｍｍの範囲であることができる。
【国際調査報告】
2013520253.tif 000005
2013520253.tif 000006